(57)【要約】      （修正有）【課題】案内面側の空間が狭い場合でも、案内部材の取付け作業や案内部材の破損時等における別の案内部材との交換作業等を容易に行うことができ、しかも下型の板厚を減少させることができるブランク型用案内部材及びブランク型を提供する。【解決手段】前記下型２１下端に穿設された取付け溝２５内に、表面が前記下型２１の案内面２２と同一面となるように、該下型２１の少なくとも下面２６側から着脱可能に嵌合されると共に該下面２６側から固定具２７で固定する。さらに、表面に上下方向に案内溝が形成されると共に前記下型２１下面から垂下させられる固定案内片５２と、前記固定案内片５２の案内溝に、表面が前記固定案内片５２の表面と同一面となるように、上下方向に所定範囲内で摺動自在に且つ前記固定案内片５２下面から自重により垂下自在に嵌合される可動案内片５７とからなる案内部材５１がブランク型に装着される。【選択図】図１
0003172101.tif 000002
【実用新案登録請求の範囲】
【請求項１】
原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型の前記下型に、その案内面に沿って落下する製品をさらに下方の製品受け台の積載位置まで案内するために装着する案内部材であって、
前記下型下端に穿設された取付け溝内に、表面が前記下型の案内面と同一面又は該下型の案内面より内側となるように、該下型の少なくとも下面側から着脱可能に嵌合されると共に該下面側から固定具で固定され、且つ表面に上下方向に案内溝が形成されると共に前記下型下面から垂下させられる固定案内片と、前記固定案内片の案内溝に、表面が前記固定案内片の表面と同一面又は該固定案内片の表面より内側となるように、上下方向に所定範囲内で摺動自在に且つ前記固定片下面から自重により垂下自在に嵌合される可動案内片とからなることを特徴とするブランク型用案内部材。
【請求項２】
前記可動案内片裏面に突起部が突設されると共に、前記固定案内片の案内溝底面に、該案内溝への可動案内片の摺嵌に伴って前記突起部を上下方向に摺動自在に且つ所定位置で下方への前記突起部の摺動の停止可能に案内する第二案内溝が穿設された請求項１に記載のブランク型用案内部材。
【請求項３】
原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型の前記下型に、その案内面に沿って落下する製品をさらに下方の製品受け台の積載位置まで案内するために、請求項１又は２に記載のブランク型用案内部材を装着してなるブランク型。
【考案の詳細な説明】
【技術分野】
【０００１】
本考案は、例えば厚紙等の原料シートから、所要形状の紙器等を製造するべく、その展開寸法の製品（ブランク）を打ち抜くに際して、型抜きのための抜き型の下流側に製品の切断分離のために配置されるブランク型の下型に組み込まれると共に、打ち抜かれた製品を下型の案内面と共に下方に案内するブランク型用案内部材と、該案内部材を装着したブランク型に関する。
【背景技術】
【０００２】
前記ブランク型として、原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたものが周知である（特許文献１及び２参照）。
【０００３】
前記ブランク型における前記下型の案内面に沿って略水平姿勢で落下する製品は、通常、下方の製品受け台の積載位置上に順次積載され、下流の加工工程へと供給される。そして、前記製品を前記下流の加工工程へと順次円滑に供給するためには、前記下型の案内面に沿って落下する製品が製品受け台の積載位置上に正確に積載されることが必要とされる。
【０００４】
前記問題を解消するべく、前記下型の案内面に沿って落下する製品をさらに下方の製品受け台の積載位置まで案内するために、前記下型に案内部材を付設することが知られ、該案内部材として、前記下型に固定されると共に、表面が前記下型の案内面と同一面に配置された固定片と、前記固定片に自重で垂下自在に滑合されると共に、表面が前記固定片の表面と同一面に配置された可動案内片とからなるものが報告されている（特許文献２参照）。
【０００５】
しかしながら、固定片に可動案内片を自重で垂下自在に滑合させてなる前記従来技術の案内部材では、前記固定片が下型にその案内面側からネジで固定されるので、前記下型の案内面側の空間が狭い場合は案内部材の取付け作業や案内部材の破損時等における別の案内部材との交換作業等に困難を来たす等の問題があった。
【０００６】
これに対して、本出願人は、前記固定片が、前記下型に穿設された取付け溝内に該下型の下面側から着脱可能に嵌合され、且つ該下面側から固定具で固定されるようにした案内部材を先に提案し、前記従来技術の問題点を解決するに至った（特許文献３参照）。
【０００７】
他方、前記後者の従来技術では、前記下型に、固定片取付け用の取付け溝と可動案内片を摺動可能に案内する案内凹部が垂直方向に直列に穿設されることから、前記下型が一定以上の板厚を有する必要があり、この点において、前記下型の板厚の増加が、該下型を構成する板材の材料費及び該板材の加工費の各上昇を招く等の問題が残っていた。
【先行技術文献】
【特許文献】
【０００８】
【特許文献１】特開２００２−１０３４７９号公報
【特許文献２】特許第４２６２９５１号公報
【特許文献３】実用新案登録第３１６３３９７号公報
【考案の概要】
【考案が解決しようとする課題】
【０００９】
本考案の課題は、従来技術の前記問題点に鑑み、前記下型に、その案内面に沿って落下する製品をさらに下方の製品受け台の積載位置まで案内するための垂下自在な可動案内片等を備えた案内部材を付設したブランク型において、前記下型の案内面側の空間が狭い場合でも、案内部材の取付け作業や案内部材の破損時等における別の案内部材との交換作業等を容易に行うことを可能にするのみならず、前記下型の板厚を減少させて該下型を構成する板材の材料費及び該板材の加工費を低減させることを可能にするブランク型用案内部材及びそれを装着したブランク型を提供することにある。
【課題を解決するための手段】
【００１０】
本考案の請求項１に係るブランク型用案内部材は、原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型の前記下型に、その案内面に沿って落下する製品をさらに下方の製品受け台の積載位置まで案内するために装着する案内部材であって、
前記下型下端に穿設された取付け溝内に、表面が前記下型の案内面と同一面又は該下型の案内面より内側となるように、該下型の少なくとも下面側から着脱可能に嵌合されると共に該下面側から固定具で固定され、且つ表面に上下方向に案内溝が形成されると共に前記下型下面から垂下させられる固定案内片と、前記固定案内片の案内溝に、表面が前記固定案内片の表面と同一面又は該固定案内片の表面より内側となるように、上下方向に所定範囲内で摺動自在に且つ前記固定片下面から自重により垂下自在に嵌合される可動案内片とからなることを特徴としている。
【００１１】
前記構成において、厚紙等の原料シートは、上流側に配置された抜き型により、製品と屑部が微小部分で接続された状態に打ち抜かれ、得られた型抜きシートは、下流側に配置されたブランク型における上型と下型との間の所定位置に搬送される。前記ブランク型における前記上型と下型の接離動作により、前記型抜きシートにおける製品が屑部を前記下型の上面に残留固定させた状態で切断分離されるように打ち抜かれる。前記のように型抜きシートから打ち抜かれた製品は、前記下型の案内面に沿って略水平姿勢で落下し、前記下型下方に昇降可能に配置された製品受け台の積載位置上に順次積載され、前記製品受け台は、それへの製品の落下、積載に応じて、従って前記上型と下型の接離動作に連動して、一定の積載量に達するまで漸次降下させられる。
【００１２】
前記下型には前記構成の案内部材が付設されているので、前記のように型抜きシートから打ち抜かれた製品は、前記下型の案内面並びに案内部材の固定案内片及び可動案内片に沿って略水平姿勢を保持しつつさらに落下し、製品受け台の積載位置上へと正確に案内される。
【００１３】
前記案内部材における前記固定案内片は、前記下型下端に穿設された取付け溝内に該下型の少なくとも下面側から着脱可能に嵌合されると共に該下面側から固定具で固定され、そのように固定された前記固定案内片が前記下型下面から垂下させられると共に、前記可動案内片が前記固定案内片下面から自重によりさらに垂下させられることから、前記案内部材の固定案内片及び可動案内片による前記落下製品の案内距離が比較的長く設定され得ると共に、それによって前記下型の案内面のみによる案内距離の縮小、従って該下型の板厚の減少が可能になる。
【００１４】
また、前記下型への前記案内部材の装着に際しては、前記固定案内片が、前記下型に穿設された取付け溝内に該下型の少なくとも下面側から着脱可能に嵌合され、且つ該下面側からネジ等の固定具で固定されることから、前記下型の案内面側の空間が狭い場合でも、案内部材の取付け作業や案内部材の破損時等における別の案内部材との交換作業等が容易になる。
【００１５】
なお、前記下型と製品受け台の距離は、前記上型と下型の接離動作やそれに連動した製品受け台の降下運動等により変動するが、前記可動案内片の下端が製品受け台に当接している状態では、該可動案内片は前記固定案内片下面から自重で垂下しつつ、前記下型と製品受け台の距離に応じて自在に収縮し、また前記可動案内片の下端が製品受け台に当接していない状態では、該可動案内片は前記固定案内片下面から自重で最長の長さに垂下し、何れの場合も、前記下型と製品受け台の接離運動に干渉することなしに、製品に対して所要長さの案内面を与えることができる。
【００１６】
前記案内部材における前記固定案内片及び可動案内片の長さ、幅、厚み等の寸法、前記固定案内片の前記下型下面からの垂下長さ、前記可動案内片の最長垂下長さ、並びに前記可動案内片を案内する前記固定案内片の案内溝の案内長さ等は、前記ブランク型の作動条件等に応じて適宜選択される。
【００１７】
本考案の請求項２に係るブランク型用案内部材は、前記構成において、前記可動案内片裏面に突起部が突設されると共に、前記固定案内片の案内溝底面に、該案内溝への可動案内片の摺嵌に伴って前記突起部を上下方向に摺動自在に且つ所定位置で下方への前記突起部の摺動の停止可能に案内する第二案内溝が穿設されたものである。この構成では、前記可動案内片が前記固定案内片の案内溝に摺嵌されると共に該可動案内片の突起部が前記第二案内溝に摺嵌され、その状態で前記可動案内片が前記固定案内片に対して下方に移動し、所定距離だけ垂下したところで前記突起部の前記第二案内溝への摺動が、例えば前記第二案内溝の下限終端部や該第二案内溝上に設けた停止部材等により停止させられる。前記可動案内片の突起部は、例えば前記第二案内溝に摺嵌可能な突条体であってもよい。
【００１８】
本考案の請求項３に係るブランク型は、原料シートを抜き型により、製品と屑部が微小部分で接続された状態に打ち抜いてなる型抜きシートを、上型と下型の接離動作により、製品が屑部から切断分離されるように打ち抜くと共に、打ち抜かれた製品を前記下型の案内面に沿って略水平姿勢で落下させるようにしたブランク型の前記下型に、その案内面に沿って落下する製品をさらに下方の製品受け台の積載位置まで案内するために、請求項１又は２に記載のブランク型用案内部材を装着してなるものであり、それによって前記のような作用効果を奏するブランク型を提供するものである。
【考案の効果】
【００１９】
請求項１に係る考案によれば、本考案に係るブランク型用案内部材をブランク型に装着することにより、前記下型の案内面側の空間が狭い場合でも、案内部材の取付け作業や案内部材の破損時等における別の案内部材との交換作業等を容易に行うことを可能にするのみならず、前記下型の板厚を減少させて該下型を構成する板材の材料費及び該板材の加工費を低減させることが可能になる。
【００２０】
請求項２に係る考案によれば、本考案に係るブランク型用案内部材をブランク型に装着することにより、該案内部材における前記固定案内片の案内溝に摺嵌された前記可動案内片を所要の垂下位置で停止させることができる。
【００２１】
請求項３に係る考案によれば、本考案に係る、前記ブランク型用案内部材を装着したブランク型の使用により、既述のように、前記下型の案内面側の空間が狭い場合でも、案内部材の取付け作業や案内部材の破損時等における別の案内部材との交換作業等を容易に行うことを可能にするのみならず、前記下型の板厚を減少させて該下型を構成する板材の材料費及び該板材の加工費を低減させることが可能になる。
【図面の簡単な説明】
【００２２】
【図１】図１は、本考案に係るブランク型の一実施形態の縦断面図であり、付設された案内部材における可動案内片が下型の下面から若干突出した状態で垂下している。
【図２】図２は、図１に示すものと同様の、本考案に係るブランク型の一実施形態の縦断面図であり、付設された案内部材における可動案内片が固定案内部材の下面から最大長さに突出した状態で垂下している。
【図３】図３（Ａ）〜（Ｃ）は、図１及び図２に示すブランク型に付設された案内部材において、可動案内片が固定案内部材の下面から突出していない状態にある案内部材の各々断面図、正面図及び底面図である。
【図４】図４（Ａ）〜（Ｂ）は、図１及び図２に示すブランク型に付設された案内部材において、可動案内片が固定案内部材の下面から若干突出した状態で垂下した案内部材の各々断面図及び正面図である。
【図５】図５（Ａ）〜（Ｂ）は、図１及び図２に示すブランク型に付設された案内部材において、可動案内片が固定案内部材の下面から最大長さに突出した状態で垂下した案内部材の各々断面図及び正面図である。
【考案を実施するための形態】
【００２３】
本考案に係るブランク型の実施形態を図面に基づいて具体的に説明する。
図１及び図２において、抜き型（図示省略）の下流側にブランク型ＢＬが配置され、該ブランク型ＢＬは、上型１１と、該上型１１と対向して昇降可能に配置された下型２１とからなり、前記下型２１下方には製品受け台３１が昇降可能に配置されている。原料シート（図示省略）は、上流側に配置された抜き型により、製品４２と屑部４３が微小部分で接続された状態に打ち抜かれ、得られた型抜きシート４１は、下流側に配置されたブランク型ＢＬの下型２１上に順次間欠的に搬送され、上型１１と下型２１の接離動作により、製品４２が屑部４３から切断分離されるように打ち抜かれ、打ち抜かれた製品４２は、下型２１の案内面２２に沿って略水平姿勢で落下させられると共に製品受け台３１上に順次積載される。
【００２４】
前記ブランク型ＢＬの上型１１の構成において、基板１２に、空気抜き孔１４を備えた押抜き部材１３が、型抜きシート４１における製品４２の打ち抜き位置及び輪郭に対応して垂設されると共に、押さえ部材１５が、型抜きシート４１における屑部４３の押え位置及び輪郭に対応して、スプリング１６を介して上下に伸縮可能に垂設されている。
【００２５】
前記ブランク型ＢＬの下型２１は互いに接合された上下２枚の型板２３からなり、該型板２３に、開口部２４が、上型１１の押抜き部材１３と対向して、打ち抜き後に落下する製品４２を略水平姿勢で通過させ得るように穿設され、開口部２４内周の案内面２２に、案内部材５１が、落下する製品４２を略水平姿勢で製品受け台３１の積載位置まで案内可能に装着されている。
【００２６】
図３〜５において、前記案内部材５１は、プラスチック製のＴ字形状固定案内片５２及びそれに上下方向に摺動可能に嵌合された凸形断面の矩形可動案内片５７から構成されている。前記固定案内片５２に、前記可動案内片５７の摺嵌可能な凸形断面の案内溝５３が上下方向に穿設され、前記固定案内片５２の案内溝５３底面に第二案内溝５４が上下方向に穿設されると共に前記第二案内溝５４中間位置に該溝の断絶による停止壁５５が形成されている。他方、前記可動案内片５７裏面には、前記案内溝５３への前記可動案内片５７の摺嵌時に前記第二案内溝５４に摺嵌可能に且つ前記停止壁５５との当接による停止可能に突条体５８が上下方向に突設されている。
【００２７】
前記下型２１への前記案内部材５１の装着に際して、前記固定案内片５２の拡張頭部５６が、前記下型２１の下方型板２３に穿設された取付け溝２５内に下型２１の案内面２２側及び下面２６側から着脱可能に嵌合され、且つ該下型２１の上方型板２３に、皿ネジ２８及びナット２９からなる固定具２７を用いて下面２６側から締め付け固定され、それによって、前記固定案内片５２は、その拡張頭部５６から下方部分において前記下型２１下面から垂下させられている。また、前記可動案内片５７は、その前記突条体５８を前記固定案内片５２の第二案内溝５４に摺嵌させつつ前記固定案内片５２の案内溝５３に摺嵌され、前記突条体５８が前記第二案内溝５４の停止壁５５に当接して停止するまで、自重で前記固定案内片５２下端から下方に垂下させられる。
【００２８】
前記可動案内片５７は、図３（Ａ）〜（Ｃ）に示す態様では、ほぼ最上位にあって、前記固定案内片５２下端から突出していない状態にあり、図４（Ａ）〜（Ｂ）に示す態様では、中間位置にあり、また図５（Ａ）〜（Ｂ）に示す態様では、最下位にあって、前記突条体５８が前記第二案内溝５４の停止壁５５に当接して停止すると共に自重で前記固定案内片５２下端から下方に最大長さに垂下した状態にある。
【符号の説明】
【００２９】
ＢＬ  ブランク型
１１  上型
１２  基板
１３  押抜き部材
１４  空気抜き孔
１５  押さえ部材
１６  スプリング
２１  下型
２２  案内面
２３  型板
２４  開口部
２５  取付け溝
２６  下面
２７  固定具
２８  皿ネジ
２９  ナット
３１  製品受け台
４１  型抜きシート
４２  製品
４３  屑部
５１  案内部材
５２  固定案内片
５３  案内溝
５４  第二案内溝
５５  停止壁
５６  拡張頭部
５７  可動案内片
５８  突条体
【図１】
0003172101.tif 000003
【図２】
0003172101.tif 000004
【図３】
0003172101.tif 000005
【図４】
0003172101.tif 000006
【図５】
0003172101.tif 000007